(57)【要約】打楽器マウントは、演奏位置にある打楽器を支持するベースを備える。また、打楽器マウントは、打楽器に接続されると共にジョイントを介してベースにも接続されるスイングアームを備え、スイングアームは、打楽器への演奏インパクトに応じてジョイントを支点として平衡位置から回転する。更に、打楽器マウントは、平衡位置にスイングアームを戻すように、スイングアームに対して復元力を与える演奏インパクトエネルギ吸収装置を備える。【選択図】図１
2020505653.tif 000002
【特許請求の範囲】
【請求項１】
演奏位置にある打楽器を支持するベースと、
前記打楽器に接続されると共にジョイントを介して前記ベースにも接続され、前記打楽器への演奏インパクトに応じて前記ジョイントを支点として平衡位置から回転するスイングアームと、
前記平衡位置に前記スイングアームを戻すように前記スイングアームに対して復元力を与える演奏インパクトエネルギ吸収装置と、を備えたことを特徴とする打楽器マウント。
【請求項２】
前記演奏インパクトエネルギ吸収装置は、磁場抵抗によりスイングを漸減的に減衰させることを特徴とする請求項１に記載の打楽器マウント。
【請求項３】
前記磁場抵抗は、調整可能であることを特徴とする請求項２に記載の打楽器マウント。
【請求項４】
前記演奏インパクトエネルギ吸収装置は、前記スイングアームに取り付けられた少なくとも１つの第１の磁石と前記ベースに取り付けられた少なくとも１つの第２の磁石を含んだ少なくとも１つの磁石対を有し、前記磁石対は、前記平衡位置を定義して前記復元力を与える磁場を発生させることを特徴とする請求項１に記載の打楽器マウント。
【請求項５】
前記少なくとも１つの第１の磁石と前記少なくとも１つの第２の磁石との間の平衡距離は、調整可能であることを特徴とする請求項４に記載の打楽器マウント。
【請求項６】
前記少なくとも１つの第２の磁石は、前記ベースにネジ固定され、前記平衡距離は、前記ベース内で前記少なくとも１つの第２の磁石をねじ込むことで調整可能となっていることを特徴とする請求項５に記載の打楽器マウント。
【請求項７】
前記ジョイントは、前記スイングアームの回転に対して摩擦抵抗を与える摩擦体を有することを特徴とする請求項１に記載の打楽器マウント。
【請求項８】
前記摩擦体は、
前記ジョイントの回転軸に近接して前記ジョイントに対して少なくとも部分的に係合すると共に、摩擦抵抗に応じて変形度が変化する変形可能シースと、
制御された様式で前記変形可能シースを変形させるために前記変形可能シースに圧力を付与すると共に、前記変形可能シースの変形を回復させるために前記変形可能シースへの圧力を解放するようにユーザにより調整可能となった圧力付与装置と、を有することを特徴とする請求項７に記載の打楽器マウント。
【請求項９】
前記ジョイントは、前記ジョイントを支点として前記スイングアームが２次元面に回転可能となるヒンジジョイントであることを特徴とする請求項７に記載の打楽器マウント。
【請求項１０】
前記演奏インパクトエネルギ吸収装置は、
中間ヒンジ点を支点として回転可能となった減衰アームと、
前記スイングアームにおいて前記ジョイントから遠い箇所に前記減衰アームの遠位端をデュアルヒンジ様式で接続するデュアルヒンジ連結器と、
前記スイングアームの近位端に接続され、前記平衡位置を定義すると共に前記復元力を与える磁場を発生させるために前記ベース中の少なくとも１つの第２の磁石と相互作用する少なくとも１つの第１の磁石を有する磁性ブロックと、を有し、
前記ジョイントを支点とした前記スイングアームの回転は前記減衰アームに伝達され、前記減衰アームは前記中間ヒンジ点を支点として回転し、前記第１の磁石と前記第２の磁石との間の平衡距離が変化して前記復元力を与えることを特徴とする請求項１に記載の打楽器マウント。
【請求項１１】
前記少なくとも１つの第１の磁石と前記少なくとも１つの第２の磁石との間の前記平衡距離は、調整可能であることを特徴とする請求項１０に記載の打楽器マウント。
【請求項１２】
前記少なくとも１つの第２の磁石は、前記ベースにネジ固定され、前記平衡距離は、前記ベース内で前記少なくとも１つの第２の磁石をねじ込むことで調整可能となっていることを特徴とする請求項１１に記載の打楽器マウント。
【請求項１３】
前記減衰アームは、前記中間ヒンジ点と接続された細長い開口を有し、前記開口における前記中間ヒンジ点の長手方向位置は、前記ベースに対して複数の固定位置で調整可能となっていることを特徴とする請求項１０に記載の打楽器マウント。
【請求項１４】
前記中間ヒンジ点の位置調整は、前記復元力を変化させることを特徴とする請求項１３に記載の打楽器マウント。
【請求項１５】
前記デュアルヒンジ連結器は、前記スイングアーム上における前記デュアルヒンジ連結器の接続位置をスライド調整するためのスイングアームスリーブを有することを特徴とする請求項１０に記載の打楽器マウント。
【請求項１６】
前記スイングアーム上における前記デュアルヒンジ連結器の接続位置の調整は、前記平衡距離を変化させることを特徴とする請求項１５に記載の打楽器マウント。
【請求項１７】
前記スイングアームに前記打楽器を接続するためのマウンティングハードウェアを更に備えたことを特徴とする請求項１に記載の打楽器マウント。
【請求項１８】
前記マウンティングハードウェアは、前記スイングアームの長軸に直交する軸を支点として前記打楽器を回転可能とすることを特徴とする請求項１７に記載の打楽器マウント。
【請求項１９】
前記打楽器は、電子打楽器であることを特徴とする請求項１に記載の打楽器マウント。
【請求項２０】
前記演奏インパクトエネルギ吸収装置は、非磁場による復元力として前記復元力を与えることを特徴とする請求項１に記載の打楽器マウント。
【発明の詳細な説明】
【技術分野】
【０００１】
本出願は、本出願人による出願番号６２／５３６，４０２（２０１７年７月２４日出願）及び出願番号６２／４４６，２０７（２０１７年１月１３日出願）の優先権を主張し、これら出願の全内容は、本明細書で参照として明確に組み込まれる。
【０００２】
本発明は、打楽器をマウントするためのハードウェア、具体的には、アコースティック及び／又は電子ドラムサスペンションハードウェアに関する。
【背景技術】
【０００３】
電子打楽器は、アコースティックドラム又は他の打楽器の代替物として知られている。電子打楽器は、典型的には種々のセンサを有するトリガーパッドを備え、これらセンサは、トリガーパッド上への演奏インパクト特性（例えば、位置や強度等）を感知するように設計されている。これらセンサは、対応する電気信号をワイヤ経由で音モジュールに送信し、音モジュールは、その電気信号に基づいて合成又は抽出された打楽器音を作り出し、この音は、音モジュールに接続されたスピーカを通して再生される。
【０００４】
このような電子打楽器は、対応するアコースティック楽器と同様に演奏できるように、支持構造、例えば、スタンド又はキットフレーム上へ機械的にマウントされる。しかしながら、このような従来のマウント構造には問題がある。第１に、演奏／実演エネルギからの残留振動が、従来の硬質なマウンティングハードウェアを通じて支持構造に伝動され得る。このような残留振動は、伝達される電気信号を妨害し、同信号による演奏インパクト特性の不正確な反映を引き起こし得る。これにより、シンセサイザにより作製された音が影響を受ける。第２に、硬質なマウント構造を有する電子トリガーパッドからの感覚及びスティック応答は、サスペンションシステムにマウントされたアコースティックドラムのものとはかなり異なる。ドラムヘッド製造者は、アコースティックドラムの感覚及びスティック応答をより良く模倣することができるように、メッシュヘッド材料を改良してきた。しかしながら、このような材料は、上述した感覚特性を改善はするものの、依然としてアコースティックドラムの感覚特性には及ばず、また、望ましくないトランポリンのようなスティック応答を引き起こす。
【０００５】
また、問題は、支持構造へのアコースティック楽器の昔ながらのマウンティングにも起因する。支持構造に伝動された残留振動は、アコースティック楽器の音特性に負の影響を与え得る。更に、昔ながらのマウンティングでは、その固定性及び比較的高い静剛性により、アコースティック境界条件が数学的に純粋な境界条件とはかなり異なるので、音質は更に負の影響を受ける。説明として、ドラムから最も純粋な音質を得るには、いかなる支持構造も無く本質的に空中に浮いたドラムが必要となる。支持構造の存在は、支持構造が無い領域とは異なるアコースティック境界条件を有する領域を生み出す。これは、ドラムのアコースティック特性に影響し、且つ等しく決められているので（調整不可）、ドラムの感覚及び／又は音特性を損なう。
【０００６】
そのため、上述したシステムよりも優位性を与え、且つ楽器の感覚、スティック応答及び音特性を制御可能とすることが望まれる。本発明の他の特性及び優位性は、ここに記載する実施形態の原理を例示している添付の図も参考にして、以下のより詳細な記載から明確になるであろう。
【図面の簡単な説明】
【０００７】
【図１】少なくとも１つの実施形態に係る電子打楽器マウントの側面図。
【０００８】
【図２】少なくとも１つの実施形態に係る電子打楽器マウントの更なる側面図。
【０００９】
【図３】少なくとも１つの実施形態に係る電子打楽器マウントの頂面図。
【００１０】
【図４】少なくとも１つの実施形態に係る支持構造にマウントされた電子打楽器マウントの斜視図。
【００１１】
【図５】少なくとも１つの実施形態に係る支持構造にマウントされたアコースティック打楽器マウントの斜視図。
【００１２】
【図６】少なくとも１つの実施形態に係る支持構造にマウントされた打楽器マウントの斜視図。
【００１３】
【図７】少なくとも１つの実施形態に係る支持構造にマウントされた打楽器マウントの斜視図。
【００１４】
【図８】少なくとも１つの他の実施形態に係る打楽器マウントの斜視図。
【００１５】
【図９】少なくとも１つの他の実施形態に係る打楽器マウントの部分分解斜視図。
【００１６】
【図１０】少なくとも１つの他の実施形態に係る打楽器マウントの完全分解斜視図。
【発明を実施するための形態】
【００１７】
上述した図面は、少なくとも１つの好ましい最適実施形態として本発明を開示するものであり、以下の記載で更に詳細に定義される。当業者であれば、本発明の精神及び範囲を逸脱することなく、ここに記載されているものを変形及び修飾することができるであろう。本発明は、多くの異なる形の実施形態を許容することができるが、本発明による開示を理解するための少なくとも１つの好ましい実施形態について図面に示すものや以下で詳細に記載するものは、本発明の原理を例示するものであって、示した実施形態に本発明の広い権利範囲を限定するものではないと考えられる。従って、以下に示すものは、単に例示目的で示されるものであって、本発明の開示範囲を限定するものではないことを理解すべきである。
【００１８】
図１−１０は、開示発明の一様である打楽器マウントの例を示している。
【００１９】
打楽器マウント１０は、ジョイント３００を介してスイングアーム２００に接続されたベース１００を備える。スイングアーム２００は、楽器取付機構４００を介してスイングアーム２００に接続された打楽器２０上への演奏インパクトに応じて、ジョイント３００を支点として回転する。演奏インパクトエネルギ吸収装置５００は、スイングアーム２００の回転を吸収する。ベース１００は、好ましくは、例えば、グラウンドやステージのような演奏場面において、打楽器マウント１０を介して打楽器２０を支持するように構成された楽器スタンド又はキットフレームのような支持構造６００に接続される。
【００２０】
演奏インパクトエネルギ吸収装置５００は、好ましくは、磁場抵抗によりスイングを漸減的に減衰させることで演奏インパクトを吸収する。特に、打楽器マウント１０に設けられている１つ又は複数の磁石の強さ及び位置は、スイングアーム２００の平衡位置を定義する磁場を決定する。平衡位置から離れるようなスイングアーム２００の動き（例えば、演奏インパクトによるもの）は、スイングアーム２００を平衡位置に戻すように働く復元力を与える磁場の抵抗を受ける。また、演奏インパクトエネルギを消散させるために、例えば、回転位置の種々の場所に機械抵抗又は摩擦抵抗を設けてもよい。このようにして、ドラムからベース１００に伝動された演奏インパクトエネルギは、完全には除去されないものの顕著に低減される。
【００２１】
図１−４を参照して、電子打楽器マウント１０の態様を少なくとも１つの実施形態として記載する。
【００２２】
ベース１００は、互いに対向して固定された第１のベース部１２０及び第２のベース部１４０を有する。特に、第１のベース部１２０及び第２のベース部１４０は、第１のベース部１２０及び第２のベース部１４０を支持構造６００及び／又は中間支持構造６２０に固定するための１つ又は複数のグリップ部１６２をそれぞれ有する。
【００２３】
支持構造６００及び／又は中間支持構造６２０は、好ましくは、少なくとも１つの縦溝６４２を持つ少なくとも１つのロッド６４０を有し、対応するグリップ部１６２を受けてスライドジョイント１６０を形成する。第１のベース部１２０及び第２のベース部１４０は、ロッド６４０に対する相対位置及び互いの相対位置を調整するために、スライドジョイント１６０を介してロッド６４０に沿って縦方向にスライドする。更に、少なくともいくつかの実施形態では、第１のベース部１２０及び第２のベース部１４０は、スライドジョイント１６０を介してロッド６４０に着脱可能となっている。換言すると、第１のベース部１２０及び第２のベース部１４０は、各々のグリップ部１６２と縦溝６４２とを係合させることで、ロッド６４０に対してスライド着脱される。いくつかの実施形態では、縦溝６４２及びグリップ部１６２は、共に準ダブテールスライドジョイントを形成するが、本発明の範囲から逸脱することなく他のスライドジョイントを利用してもよい。
【００２４】
第１のベース部１２０及び第２のベース部１４０の各々は、好ましくは、互いに対向した固定位置において、第１のベース部１２０及び第２のベース部１４０を支持構造６００及び／又は中間支持構造６２０に固定する１つ又は複数の固定具を有する。このような固定具は、例えば、ネジ式固定具により構成され、ネジを締めたり弛めたりすることで支持構造６００及び／又は中間支持構造６２０の壁への接触が強められたり弱められ、これにより摩擦保持力が供給又は除去される。
【００２５】
いくつかの実施形態では、ベース１００は、支持構造６００及び／又は中間支持構造６２０にベース１００を同様に固定して少なくとも１つの対応するグリップ部を有する単一のベース（不図示）から成る。
【００２６】
スイングアーム２００は、第１のアーム部２２０と、第２のアーム部２４０と、これら第１のアーム部２２０及び第２のアーム部２４０を一体に接続する第３のアーム部２６０と、を有する硬質な実質一体構造となっている。
【００２７】
第１のアーム部２２０は、ジョイント３００を介して第１のベース部１２０に接続され、打楽器２０上への演奏インパクトに応じてジョイント３００を支点としてスイング又は回転する。
【００２８】
図１−４に示すように、ジョイント３００は、好ましくは、スルーホール３４０を介して第１のベース部１２０に第１のアーム部２２０を接続するヒンジボルト３２０を有するヒンジジョイントである。このヒンジジョイントは、演奏インパクトエネルギを消散させるために機械的抵抗を与え得る。
【００２９】
ヒンジボルト３２０には、ヒンジボルト３２０の外表面と第１のアーム部２２０におけるスルーホール３４０の内表面との間に位置する変形可能シース３６０を更に設けてもよい。例えば、ボールソケットジョイントのような別のジョイント構造が利用される場合には、変形可能シース３６０は、ジョイント３００の適切な回転軸に係合し得る。
【００３０】
圧力付与装置３８０は、スルーホール３４０に対して実質的に直交した状態で第１のアーム部２２０を通って伸長し、シース３６０に接触してシース３６０上に圧力を付与する。これによりシース３６０が変形し、ヒンジボルト３２０の回転に対する摩擦抵抗が調節される。圧力付与装置３８０は、付与する圧力（すなわち、摩擦抵抗）を制御することができるように、好ましくはネジ式装置（例えば、アレンファスナ等）である。
【００３１】
第３のアーム部２６０は、スイングアーム２００に打楽器２０を取り付けるための楽器取付機構４００を含む。図１−３に示すように、楽器取付機構４００は、第３のアーム部２６０に形成されたスロット４２０を有し、スロット４２０を通って固定具４４０が、支持された打楽器２０を受けるマウンティングハードウェア４６０を固定している。好ましくは、固定具４４０は、スロット４２０内でのマウンティングハードウェア４６０のスライドを許容するように弛めたり閉めたりでき、これによりスイングアーム２００に対するマウンティングハードウェア４６０の再配置や、マウントされた打楽器２０の角度調整を行うことができる。
【００３２】
第２のアーム部２４０は、第１のアーム部２２０から離れるように伸長し、少なくとも部分的に演奏インパクトエネルギ吸収装置５００を形成している。図１−３に示すように、演奏インパクトエネルギ吸収装置５００は、少なくとも１つの磁石ペア５２０を有し、各々の磁石ペア５２０は、スイングアーム磁石５２２及びベース磁石５２４を有する。少なくとも１つの磁石ペア５２０は、前述した磁性復元力を与えるように構成され、スイングアーム２００が平衡位置から移動した場合には、スイングアーム２００を平衡位置に戻そうとする。少なくとも１つの実施形態では、少なくとも１つの磁石ペア５２０が２つの磁石ペアを含む。
【００３３】
磁性復元力は、斥力及び／又は引力である。磁石ペア５２０において互いに同極が向かい合う磁石の配置は、斥力的な磁性復元力を与える。操作では、打楽器２０の重みによって、スイングアーム磁石５２２とベース磁石５２４とが平衡位置よりも互いに近づくように、スイングアーム２００が移動する。そして、磁石の斥力が、平衡位置にスイングアーム２００を再配置する。磁石ペア５２０において互いに異極が向かい合う磁石の配置は、引力的な磁性復元力を与える。操作では、打楽器２０の重みによって、スイングアーム磁石５２２とベース磁石５２４とが平衡位置よりも互いに離れるように、スイングアーム２００が移動する。そして、磁石の引力が、平衡位置にスイングアーム２００を再配置する。このようにして、平衡位置から離れるようなスイングアーム２００の動き（例えば、演奏インパクトによるもの）は、少なくとも１つの磁石ペア５２０によって引き起こされる磁場による抵抗を受けることで、平衡位置にスイングアーム２００を戻すような復元力を与える。
【００３４】
少なくとも１つの実施形態では、平衡にある磁石ペア５２０における個々の磁石５２２、５２４間の相対距離は、斥力／引力及び／又は平衡位置を変化させるために調整可能となっている。例えば、ベース磁石５２４は、ベース１００の磁性開口に設けられた内ネジに螺合する外ネジと、この磁性開口からベース磁石５２４を伸長又は後退させることで磁場（例えば、ワークフォース値）を変化させるためのネジ回し動作を容易にするターンキー部と、を有していてもよい。
【００３５】
例えば、図４−７に示すように、支持構造は、少なくとも１つの縦溝６４２を持つ少なくとも１つのロッド６４０を有する。いくつかの実施形態では、グリップ部１６２が、支持構造に対してベース１００（又は中間支持構造６２０）を接続している。少なくとも１つの実施形態では、マウントされた打楽器２０の演奏位置を調整するために、ベース１００が縦軸（すなわち、鉛直ｚ軸）回りに回転可能となるようにして、グリップ部１６２がベース１００に接続されている。
【００３６】
少なくとも１つのロッド６４０は、好ましくは、打楽器マウント１０（及び打楽器２０）がマウントされるフレームを形成している。複数のロッド６４０を種々のジョイントにより互いに接続してもよく、このようなジョイントは、複数のロッド６４０が各々の長軸回りに互いに回転可能となるように構成されている。ジョイントは、各ロッド６４０の回転位置を固定するように構成されていてもよい。いくつかの実施形態では、摩擦装置（例えば、ネジ）が、各ロッド６４０の回転位置を固定するジョイントにおいて利用される。この様式では、マウントされた打楽器２０の演奏位置が、更に調節され得る。
【００３７】
図５−１０には、少なくとも１つの他の実施形態の態様が示されている。同様の機能を持つ構造要素には、図１−４に示した実施形態に対応する参照符号が付されており、簡潔にするため以下では機能的差異について記載する。
【００３８】
図５−１０に示すように、ベース１００は、支持構造に接続されている。例えば、少なくともいくつかの実施形態では、ベース１００は、支持構造６００及び／又は中間支持構造６２０に堅固に接続されている。
【００３９】
ベース１００は、ジョイント３００を介してスイングアーム２００に更に接続され、ジョイント３００は、好ましくは、スイングアーム２００に接続された打楽器２０への演奏インパクトに応じてスイングアーム２００をスイング又はジョイント３００に対して回転させる１つ又は複数のヒンジジョイントから成る。このようなヒンジジョイントは、演奏インパクトエネルギを消散させるために機械的抵抗を与え得る。
【００４０】
スイングアーム２００は、スイングアーム２００に打楽器２０を取り付けるための楽器取付機構４００を更に有する。図５−１０に示すように、例えば、楽器取付機構４００は、打楽器マウント１０上において打楽器２０を支持可能とするマウンティングハードウェア４６０を堅固に受けるように構成されている。
【００４１】
いくつかの実施形態（不図示）では、楽器取付機構４００は、直接又は中間部材を介してスイングアーム２００にスライド接続され、スイングアーム２００に対する縦方向（すなわち、ｚ軸）位置が調整される。対応するグリップ部は、この機能を発揮するために上記と同様の様式で利用され得る。また、楽器取付機構４００は、演奏角度の調整及び／又は楽器取付機構４００から打楽器２０を取り外すことなく打楽器２０の反対側ドラムヘッドのチューニングに際して１８０度ドラムを回転／反転させるために、ｘ軸及び／又はｙ軸に関して回転調整を許可してもよい。このような調整は、直接接続又は関節接続のいずれでも機械的に可能である。いくつかの実施形態では、中間部材が、スイングアーム２００に楽器取付機構４００を接続すると共に、上記のような調整を可能としている。
【００４２】
演奏インパクトエネルギ吸収装置５００は、中間ヒンジ点５６２回りに回転可能となった減衰アーム５６０と、減衰アーム５６０とスイングアーム２００とを各々の末端ヒンジ点５６６、５６４で接続するスイングアーム連結器５７０と、磁性復元力を与えるための磁性ブロック５８０と、を有する。
【００４３】
図５−１０に示すように、スイングアーム連結器５７０は、好ましくは、減衰アーム５６０の末端ヒンジ点５６６を定義する第１のヒンジ構造５７２を有する。第１のヒンジ構造５７２は、好ましくは、減衰アーム５６０の末端ヒンジ点５６６を中間アーム５７４に接続する。中間アーム５７４は、次いで、スイングアーム２００の末端ヒンジ点５６４を定義している第２のヒンジ構造５７８を介してスイングアームスリーブ５７６に接続されている。
【００４４】
スイングアームスリーブ５７６は、好ましくは、スイングアームスリーブ５７６がスイングアーム２００の長さ方向の少なくとも一部に沿って再配置されるように、スイングアーム２００を受ける窪みを定義する。少なくともいくつかの実施形態では、スイングアーム２００及びスイングアームスリーブ５７６は、スライドジョイント構成を採用している。スイングアーム２００上でのスイングアームスリーブ５７６の位置は、固定具（例えば、ネジ）を介して固定可能であることが更に好ましい。この様式により、減衰アーム５６０のバイアスが調節されて、マウントされた楽器の音質が改善される。
【００４５】
図５−１０に示すように、減衰アーム５６０は、中間ヒンジ点５６２を定義している第３のヒンジ構造５６８を受ける細長い開口５６４を更に有する。第３のヒンジ構造５６８は、好ましくは、中間ヒンジ点５６２を調節可能とするために細長い開口５６４内で再配置可能とされることで、種々の打楽器２０の異なるシェル構造／重量音響特性を補償する。第３のヒンジ構造５６８は、好ましくは、減衰アームスリーブ５７０を介して支持構造及び／又は中間支持構造に減衰アーム５６０を接続している。減衰アームスリーブ５７０は、支持構造及び／又は中間支持構造に第３のヒンジ構造５６８を接続している点を除いて、スイングアームスリーブ５７６と構造的に類似している。また、可変の第３のヒンジ構造５６８は、磁場に伝達される影響力（力）を制御して、平衡安定位置に影響する。
【００４６】
図５−１０に示すように、減衰アーム５６０は、スイングアーム連結器５７０とは反対側の端部において磁性ブロック５８０と更に接続されている。磁性ブロック５８０は、好ましくは、少なくとも１つの磁石対の一方を形成する少なくとも１つの磁性ブロック磁石５８２を収容している。ベース１００は、磁性ブロック磁石５８２に対向する少なくとも１つのベース磁石を収容し、ベース磁石は、少なくとも１つの磁石対の他方を形成する。少なくとも１つの磁石対の磁力は、磁性ブロック５８０（及び結果としてスイングアーム２００）に対して平衡位置を定義する。少なくとも１つの磁石対は、上述した磁性復元力を与え、スイングアーム２００が平衡位置から移動したときに、減衰アーム５６０／スイングアーム２００を平衡位置に戻らせる。少なくとも１つの実施形態では、少なくとも１つの磁石対が２つの磁石対を含む。上述した磁石対については、個々の磁石間の平衡距離は調整可能となっている。
【００４７】
動作中、演奏インパクトは、ジョイント３００を支点としてスイングアーム２００の回転を引き起こす。そして、スイングアーム２００の回転は、スイングアーム連結器５７０を介して減衰アーム５６０に伝達され、減衰アーム５６０は、第３のヒンジ構造５６８により定義された中間ヒンジ点５６２を支点として回転する。減衰アーム５６０の回転により、磁性ブロック５８０が平衡位置から移動すると、磁石対が磁性ブロック５８０に磁性復元力を与える。磁性復元力は、減衰アーム５６０及びスイングアーム２００の逆回転へと変換される。ジョイント３００及び付随的な１つ又は複数のヒンジ構造は、演奏エネルギを更に消散させるために機械的及び／又は摩擦抵抗を与える。
【００４８】
図８−１０に示すように、演奏インパクトエネルギ吸収装置５００は、互いに対向した減衰アーム５６０がスイングアーム２００の両側に配置されたシステムを有する。対向した減衰アーム５６０は、それぞれ磁性ブロック５８０、中間ヒンジ及びスイングアーム２００に上述した様式で接続されている。
【００４９】
図９−１０に示すように、少なくともいくつかの実施形態では、マウンティングハードウェア４６０が、スイングアーム２００の回転面に直交した面で回転する。マウンティングハードウェア４６０は、支持のために楽器を受ける楽器支持部材４６２を有する。楽器支持部材４６２は、例えば、ドラム外面に実質的にぴったりフィットするように形成された頂面及び内面と、この頂面を通って形成されてドラムのハードウェア構成を受けることで楽器支持部材４６２にドラムを固定するように配置されたマウンティング開口と、を有する。楽器支持部材４６２は、更に、スイングアーム２００の回転面に直交して回転するようにしてスイングアーム２００に楽器支持部材４６２を接続している回転部材４６４に固定されている。
【００５０】
示した実施形態は、第２のアーム部２４０による回転運動範囲が弧を描く平面でのスイングアーム２００のスイングを可能とするヒンジ構造を示しているが、ここに記載した発明概念は、例えば、ボールやヒンジジョイントに直交したソケットジョイント又は複合体を介してスイングアーム２００が球面を描くようなスイングアーム２００の他の運動範囲を許可する別のジョイント構造を包含してもよい。このような構成は、平衡位置を設定すると共に磁性復元力を与えるため、適切に配置された磁石対を利用するであろう。このような構成にまで拡張された発明の態様は、明確に考察されている。
【００５１】
更に、ここでは磁性復元力の使用が記載されているが、他の復元力（例えば、スプリング力、弾性力又は異なる機械力の組み合わせ）や対応する構造は、本発明の範囲から逸脱することなく利用することができる。
【００５２】
上で詳細に記載した可能な特性は、従来技術の記録を見ても新規で、本発明の少なくとも１つの態様の操作及び本発明の目的の達成に重要な意味を持つと考慮される。例示実施形態を記載するために本明細書で使用された語彙は、一般に定義された意味で理解されるだけでなく、すべての開示内容に適用するため、構造、材料又は作用に関して当業者が理解することができる如何なる特別な定義も含み得る。
【００５３】
ここに記載された語彙又は図示構成の定義は、文字通り説明された構成の組み合わせだけでなく、実質的に同一の結果を得るために実質的に同一の方法で実質的に同一の機能を発揮するためのすべての等価な構造、材料又は作用を意味する。この意味では、２つ又はそれ以上の構成の等価置換を、記載された構成及びその種々の実施形態の如何なる１つに対して行ってもよいし、本発明の範囲から逸脱することなくクレーム中の２つ又はそれ以上の構成を１つの構成で置換してもよいと考えられる。
【００５４】
当業者から見たときのクレームされた主題からの変更は、現在既知のもの又は後に改良されるものも含めて、本発明の範囲及びその種々の実施形態と等価であると明確に考察される。そのため、当業者により現在又は後に行われる明らかな置換は、ここで定義された構成の範囲に含まれると定義される。従って、この開示は、上記で特異的に図示及び記載されたもの、概念的に等価なもの、明らかに置換可能なもの、そして本発明の本質的な考え方を取り入れたものを含むと理解されるべきである。
【００５５】
この記載の範囲は、添付のクレームと併せて解釈されるべきである。
【図１】
2020505653.tif 000003
【図２】
2020505653.tif 000004
【図３】
2020505653.tif 000005
【図４】
2020505653.tif 000006
【図５】
2020505653.tif 000007
【図６】
2020505653.tif 000008
【図７】
2020505653.tif 000009
【図８】
2020505653.tif 000010
【図９】
2020505653.tif 000011
【図１０】
2020505653.tif 000012
【国際調査報告】
2020505653.tif 000013